(57)【特許請求の範囲】
【請求項１】
移動局装置が基地局装置に対してランダムアクセスを行う無線通信システムであって、
前記移動局装置が、
前記基地局装置に対するランダムアクセスに成功するまでの送信履歴情報であるランダムアクセス履歴情報を前記ランダムアクセス成功後に前記基地局装置に対して送信するランダムアクセス履歴情報送信手段を具備し、
前記基地局装置が、
前記ランダムアクセス履歴情報と設定するべき設定情報とが予めマッピングされたマップデータを参照して、前記移動局装置から送信された前記ランダムアクセス履歴情報に対応する前記設定情報を特定し、該設定情報を前記基地局装置に対して前記移動局装置が次回ランダムアクセスする際の送信条件であるランダムアクセス情報としてを設定するランダムアクセス情報設定手段と、
前記ランダムアクセス情報設定手段によって設定された前記ランダムアクセス情報を含む報知情報を前記移動局装置に対して報知する報知手段とを具備し、
前記ランダムアクセス履歴情報は、前記移動局装置がランダムアクセスに成功するまでの再送回数、送信に成功した場合の送信電力、送信に成功した場合の下りＳＩＲおよび送信に失敗した場合の周波数の情報のうち、少なくとも１つの情報を含む
ことを特徴とする無線通信システム。
【請求項２】
前記ランダムアクセス情報は、初期送信電力、再送時の送信電力増加ステップ幅、最大再送回数、ランダムアクセスに使用する周波数およびランダムアクセスに使用する周波数のホッピング設定の情報を含むことを特徴とする請求項１に記載の無線通信システム。
【請求項３】
前記マップデータは、送信に成功した場合の送信電力、送信に成功した場合の下りＳＩＲおよび送信に失敗した場合の周波数の情報のうち、少なくとも１つの情報と、前記ランダムアクセスに成功するまでの再送回数との組合せに対して、前記設定するべき設定情報がマッピングされていることを特徴とする請求項１または２に記載の無線通信システム。
【請求項４】
移動局装置が基地局装置に対してランダムアクセスを行う無線通信方法であって、
前記移動局装置が、前記基地局装置に対するランダムアクセスに成功するまでの送信履歴情報であるランダムアクセス履歴情報を前記ランダムアクセス成功後に前記基地局装置に対して送信するランダムアクセス履歴情報送信ステップと、
前記基地局装置が、前記ランダムアクセス履歴情報と設定するべき設定情報とが予めマッピングされたマップデータを参照して、前記移動局装置から送信された前記ランダムアクセス履歴情報に対応する前記設定情報を特定し、該設定情報を前記基地局装置に対して前記移動局装置が次回ランダムアクセスする際の送信条件であるランダムアクセス情報としてを設定するランダムアクセス情報設定ステップと、
前記ランダムアクセス情報設定手段によって設定された前記ランダムアクセス情報を含む報知情報を前記移動局装置に対して報知する報知ステップと
を有し、
前記ランダムアクセス履歴情報は、前記移動局装置がランダムアクセスに成功するまでの再送回数、送信に成功した場合の送信電力、送信に成功した場合の下りＳＩＲおよび送信に失敗した場合の周波数の情報のうち、少なくとも１つの情報を含む
ことを特徴とする無線通信方法。
【発明の詳細な説明】
【技術分野】
【０００１】
本発明は、無線通信システムおよび無線通信方法に関する。
【背景技術】
【０００２】
従来からＣＤＭＡ（Code Division Multiple Access、符号分割多元接続）通信システムでは、移動局装置がランダムアクセス時においてランダムアクセスチャネルでプリアンブルを送信する場合、基地局装置からデータ受付信号（ＡＣＫ信号）が送られてくるまで、データを複数回、送信電力を徐々に上げて送信する送信電力制御方式が用いられている。また、３ＧＰＰ  Ｅ−ＵＴＲＡ（The 3rd Generation Partnership Project Evolved Universal Terrestrial Radio Access、第３世代パートナシップ・プロジェクト、ユニバーサル地上無線アクセスの進化）においても同様のランダムアクセス方式が検討されている（例えば、非特許文献１、２参照）。
【０００３】
また、伝搬状況が良い場合には下り無線同期が確立するまでの初期送信電力制御区間を短くする方式が知られている（例えば、特許文献１参照）。これは、基地局装置が移動局装置から通知されるランピング回数（同期検出表示チャネルＡＩＣＨのＡＣＫ信号を受信するまでにランダムアクセスチャネルでプリアンブルを送信した回数）を基地局装置の上位制御装置に送り、ランピング回数から伝搬状況の良否を判断して、移動局装置が同期確立時に用いる初期送信電力値を増減し、取得した伝搬状況が良好である場合は、移動局装置の送信電力値を漸増させ初期送信電力値に到達するように制御するパラメータである増加回数、増加幅および増加周期の一部または全部を少な目に設定するものである。
【０００４】
また、一度算出したランダムアクセスチャネルのプリアンブルパートの初期送信電力値を補正し最適な初期送信電力値でオープンループ送信電力制御が行えるようにする方式も知られている（例えば、特許文献２参照）。これは、基地局装置とのランダムアクセス通信は送信電力値算出部が算出した初期送信電力値を用いて開始されるもので、成功しなければ、送信電力値を徐々に上げながらプリアンブルパートの再送を繰り返す。成功すると、そのときの送信電力値を用いてランダムアクセスチャネルのメッセージパートを送信する。初期送信電力補正値算出部は、初期送信電力値と成功したときの送信電力値との差分から補正値を算出する。送信電力値算出部は次回のランダムアクセス通信の開始時に先に算出した初期送信電力値に補正値を加算した値を今回の初期送信電力値とする。
【０００５】
また、パケット伝送時あるいはランダムアクセス時における通信を必要最小限の送信電力で実現することによって、他ユーザへの干渉を低減する方式も知られている（例えば、特許文献３参照）。これは、受信レベル判定回路が受信信号の強度と記憶回路に設定されるＡＩＣＨ受信判定閾値よりも低い値の受信レベル判定閾値との大小比較から受信信号の受信レベルを判定するものである。送信電力制御回路は、受信レベル判定回路が、受信信号の受信レベルが受信レベル判定閾値を超えないと判定している間は、送信電力の段階的な増加処理を実施し、受信信号の受信レベルが受信レベル判定閾値を超えると、送信電力の段階的な増加処理を行わず前回と同値の送信電力を用いた送信制御を実施する。
【非特許文献１】３ＧＰＰ標準規格（３ＧＰＰ  ＴＳ２５．２１４；６章  Random access procedure，ｐ３５−ｐ３７）
【非特許文献２】３ＧＰＰ標準規格（３ＧＰＰ  ＴＳ３６．２１３；６章  Random access procedure，ｐ１１）
【特許文献１】特開２００６−２８７４８９号公報
【特許文献２】特開２００７−９７０５５号公報
【特許文献３】特開２００４−２６０７５３号公報
【発明の開示】
【発明が解決しようとする課題】
【０００６】
しかしながら、従来技術によるランダムアクセスの通信方式においては、基地局装置において測定された情報のみに基づいて、移動局装置がランダムアクセスを行うために必要な情報を基地局装置が決定して移動局装置に対して報知していたため、初期送信電力等の移動局装置がランダムアクセスを行うために必要な情報の設定が最適化されていないという問題がある。このため、ランダムアクセス成功率が低下し、無線リソースの有効活用ができないという問題もある。
【０００７】
本発明は、このような事情に鑑みてなされたもので、ランダムアクセスの通信方式において、移動局装置がランダムアクセスを行うために必要な情報の設定を最適化することができる無線通信システムおよび無線通信方法を提供することを目的とする。
【課題を解決するための手段】
【０００８】
本発明は、移動局装置が基地局装置に対してランダムアクセスを行う無線通信システムであって、前記移動局装置が、前記基地局装置に対するランダムアクセスに成功するまでの送信履歴情報であるランダムアクセス履歴情報を前記ランダムアクセス成功後に前記基地局装置に対して送信するランダムアクセス履歴情報送信手段を具備し、前記基地局装置が、前記ランダムアクセス履歴情報と設定するべき設定情報とが予めマッピングされたマップデータを参照して、前記移動局装置から送信された前記ランダムアクセス履歴情報に対応する前記設定情報を特定し、該設定情報を前記基地局装置に対して前記移動局装置が次回ランダムアクセスする際の送信条件であるランダムアクセス情報としてを設定するランダムアクセス情報設定手段と、前記ランダムアクセス情報設定手段によって設定された前記ランダムアクセス情報を含む報知情報を前記移動局装置に対して報知する報知手段とを具備し、前記ランダムアクセス履歴情報は、前記移動局装置がランダムアクセスに成功するまでの再送回数、送信に成功した場合の送信電力、送信に成功した場合の下りＳＩＲおよび送信に失敗した場合の周波数の情報のうち、少なくとも１つの情報を含むことを特徴とする。
【０００９】
本発明は、前記ランダムアクセス情報は、初期送信電力、再送時の送信電力増加ステップ幅、最大再送回数、ランダムアクセスに使用する周波数およびランダムアクセスに使用する周波数のホッピング設定の情報を含むことを特徴とする。
【００１０】
本発明は、前記マップデータは、送信に成功した場合の送信電力、送信に成功した場合の下りＳＩＲおよび送信に失敗した場合の周波数の情報のうち、少なくとも１つの情報と、前記ランダムアクセスに成功するまでの再送回数との組合せに対して、前記設定するべき設定情報がマッピングされていることを特徴とする。
【００１１】
本発明は、移動局装置が基地局装置に対してランダムアクセスを行う無線通信方法であって、前記移動局装置が、前記基地局装置に対するランダムアクセスに成功するまでの送信履歴情報であるランダムアクセス履歴情報を前記ランダムアクセス成功後に前記基地局装置に対して送信するランダムアクセス履歴情報送信ステップと、前記基地局装置が、前記ランダムアクセス履歴情報と設定するべき設定情報とが予めマッピングされたマップデータを参照して、前記移動局装置から送信された前記ランダムアクセス履歴情報に対応する前記設定情報を特定し、該設定情報を前記基地局装置に対して前記移動局装置が次回ランダムアクセスする際の送信条件であるランダムアクセス情報としてを設定するランダムアクセス情報設定ステップと、前記ランダムアクセス情報設定手段によって設定された前記ランダムアクセス情報を含む報知情報を前記移動局装置に対して報知する報知ステップとを有し、前記ランダムアクセス履歴情報は、前記移動局装置がランダムアクセスに成功するまでの再送回数、送信に成功した場合の送信電力、送信に成功した場合の下りＳＩＲおよび送信に失敗した場合の周波数の情報のうち、少なくとも１つの情報を含むことを特徴とする。
【発明の効果】
【００１２】
本発明によれば、移動局装置がランダムアクセスするために必要な情報を、基地局装置から移動局装置に対する報知情報内に設定する際に、基地局装置配下の移動局装置においてのみ測定し得るランダムアクセス履歴情報を収集して、この収集したランダムアクセス履歴情報に基づいて、ランダムアクセスするために必要な設定情報を特定し、この特定した設定情報であるランダムアクセス情報を含む報知情報を生成して移動局装置に対して報知するようにしたため、ランダムアクセスするために必要なランダムアクセス情報が最適化された報知情報を移動局装置に対して報知することができる。これにより、ランダムアクセス成功率の向上および無線リソースの有効活用を図ることができるという効果が得られる。
【発明を実施するための最良の形態】
【００１３】
以下、本発明の一実施形態による無線通信システムを図面を参照して説明する。図１は同実施形態の構成を示すブロック図である。この図において、符号１１０１、１１０２は、携帯電話端末等の移動局装置である。符号１２０１は、移動局装置１１０１や移動局装置１１０２との間で無線通信回線を確立して無線通信による情報通信を行う基地局装置である。符号１２０２、１２０３は、基地局装置１２０１と同様の構成を備える基地局装置であり、基地局装置１２０１、１２０２、１２０３は、移動通信交換網（ネットワーク）Ｎに接続される。基地局装置１２０１、１２０２、１２０３のそれぞれまたはいずれかは、複数の基地局装置１２０１、１２０２、１２０３と通信しながら移動に伴い基地局装置を切り替える制御を行う基地局装置制御装置を含んでいても良い。
【００１４】
次に、図１に示す移動局装置１１０１の詳細な構成を説明する。移動局装置１１０１は、情報送信機能を実現する送信部１１４内に、プリアンブル再送回数カウンタ１１１、プリアンブル送信電力記録部１１２およびプリアンブル送信周波数記録部１１３を備えている。プリアンブル再送回数カウンタ１１１は、ランダムアクセスの際のプリアンブル（フレーム送信の開始を認識させ、同期をとるタイミングを与えるための信号であって、ランダムアクセスチャネルＲＡＣＨで送信されるもの）の再送回数をカウントして記録する。プリアンブル送信電力記録部１１２は、プリアンブル送信時の送信電力を検出して保持する。プリアンブル送信電力記録部１１２には、プリアンブル送信の成功または失敗に関わらずプリアンブル送信時の送信電力が保持される。プリアンブル送信周波数記録部１１３は、プリアンブル送信失敗時の送信周波数の情報を保持する。プリアンブル送信周波数記録部１１３には、プリアンブル送信に成功するまでのすべての送信失敗時の送信周波数が保持される。
【００１５】
また、情報受信機能を実現する受信部１１７は、下りＳＩＲ算出部１１６を備えている。下りＳＩＲ算出部１１６は、基地局装置１２０１からの下りリンクの信号電力と干渉電力を測定し、ＳＩＲ（信号電力対干渉電力比）を算出する。ＳＩＲの値が小さい値の場合は干渉電力が大きく（すなわち、干渉が大きい）、大きい値は干渉電力が小さい（すなわち、干渉が小さい）ことを意味する。また、送信部１１４は、プリアンブル再送回数、プリアンブル送信電力、プリアンブル送信周波数、下りＳＩＲを基地局装置１２０１へ送信する機能を有する。制御部１１５は、送信部１１４および受信部１１７と信号のやり取りを行って、移動局装置１０１の処理動作を統括して制御する。アンテナ部１１８は、送信部１１４からの無線周波数の高周波信号を電波にして基地局装置１２０１に向けて送出し、また、基地局装置１２０１からの高周波信号の電波を受波して、その無線周波数の信号を受信部１１６に与える。移動局装置１１０２の詳細な構成は、移動局装置１１０１と同様であるためここでは詳細な説明を省略する。
【００１６】
次に、図１に示す基地局装置１２０１の詳細な構成を説明する。基地局装置１２０１は、情報送信機能を実現する送信部１２２内に、ランダムアクセス報知情報送信部１２１を備えている。また、基地局装置１２０１の処理動作を統括して制御する制御部１２４内に、ランダムアクセス報知情報生成手段１２３を備えている。また、情報受信機能を実現する受信部１２７内に、ランダムアクセス決定用情報受信処理部１２５およびランダムアクセス受信周波数記録部１２６を備えている。ランダムアクセス報知情報送信部１２１は、移動局装置１１０１、１１０２に対してランダムアクセスのため必要な各種設定情報を送信する。各種設定情報とは、初期送信電力、ランピングステップ（再送時の送信電力増加ステップ幅）、最大再送回数、使用する送信周波数およびランダムアクセスに使用する周波数のホッピング設定の情報を少なくとも含む情報である。
【００１７】
ランダムアクセス決定用情報受信処理部１２５は、移動局装置１１０１が送信したランダムアクセス成功後（ＡＣＫ信号を受信した後）のメッセージパートにて送信されるプリアンブル再送回数、プリアンブル送信周波数および下りＳＩＲを受信し、受信したプリアンブル再送回数、プリアンブル送信周波数および下りＳＩＲの情報と、ランダムアクセス受信周波数記録部１２６から出力されるプリアンブル送信成功時の周波数情報とをランダムアクセス報知情報生成手段１２３へ送出する。ここで送出する情報には、一回のランダムアクセス成功に対して、成功した送信周波数、成功した送信電力、再送回数、再送回数分の失敗した送信周波数が含まれる。ランダムアクセス受信周波数記録部１２６は、移動局装置１１０１が送信したプリアンブルの受信に成功した際の周波数を測定して記録する。
【００１８】
ランダムアクセス報知情報生成手段１２３は、ランダムアクセス決定用情報受信処理部１２５から出力される移動局装置１１０１からのプリアンブル再送回数、プリアンブル送信失敗時の周波数、下りＳＩＲおよびランダムアクセス受信周波数記録部１２６が測定するプリアンブル受信成功時の周波数から、移動局装置１１０１がランダムアクセスするために必要な各種設定情報を生成して、このランダムアクセスするために必要な各種設定情報をランダムアクセス報知情報送信部１２１へ送出する。アンテナ部１２８は、送信部１２２からの無線周波数の高周波信号を電波にして移動局装置１１０１に向けて送出し、また、移動局装置１１０１からの高周波信号の電波を受波して、その無線周波数の信号を受信部１２７に与える。
【００１９】
次に、図２を参照して、図１に示す移動局装置１１０１の動作を説明する。図２は移動局装置１１０１におけるランダムアクセス時の動作を示すフローチャートである。まず、移動局装置１１０１の受信部１１７は、セルサーチに成功した場合に、基地局装置１２０１から報知される報知チャネルの報知情報を受信する（ステップＳ２０１）。この報知情報には、ランダムアクセスに必要な設定情報が含まれる。下りＳＩＲ算出部１１６は、受信した基準チャネルの無線信号を測定し、この測定結果から下りＳＩＲを算出する（ステップＳ２０２）。次に、送信部１１４は、プリアンブル送信を行う（ステップＳ２０３）。このとき、制御部１１５は、公知技術と同様にステップＳ２０１において受信した報知情報に基づいて送信するべき電力および使用する周波数を求める。送信部１１４は、この求めた結果に基づいて、プリアンブルの送信を行う。そして、制御部１１５は、基地局装置１２０１からの下り送信を受信部１１７により受信し、受信した結果に基づいて、プリアンブル送信が成功したか否かを判定する（ステップＳ２０４）。
【００２０】
この判定の結果、プリアンブル送信が成功した場合、制御部１１５は、プリアンブル再送回数カウンタ１１１からプリアンブル再送回数を取得する（ステップＳ２０５）。また制御部１１５は、プリアンブル送信電力記録部１１２からプリアンブル送信電力履歴情報を取得する（ステップＳ２０６）。さらに、制御部１１５は、プリアンブル送信周波数記憶部１１３からプリアンブル送信周波数履歴情報を取得する（ステップＳ２０７）。そして、制御部１１５は、送信部１１４を介して、上りリンクのメッセージパートによって各種測定情報を基地局装置１２０１に対して送信する（ステップＳ２０８）。この各種測定情報にはステップＳ２０２において算出した下りＳＩＲ、ステップＳ２０５において取得したプリアンブル再送回数、ステップＳ２０６において取得したプリアンブル送信電力履歴情報、ステップＳ２０７において取得したプリアンブル送信周波数履歴情報が含まれる。
【００２１】
そして、制御部１１５は、下りＳＩＲ算出部１１６において算出して保持している下りＳＩＲの値、プリアンブル再送回数カウンタ１１１が保持しているプリアンブル再送回数の値、プリアンブル送信電力記憶部１１２に保持しているプリアンブル送信電力履歴情報およびプリアンブル送信周波数記憶部１１３に保持しているプリアンブル送信周波数履歴情報のクリアを行い（ステップＳ２０９）、ランダムアクセス処理を終了する。
【００２２】
一方、ステップＳ２０４の判定において、プリアンブル送信が失敗したと判定された場合、制御部１１５は、プリアンブル再送回数カウンタ１１１の値に「１」加え、プリアンブル再送回数カウンタの値を増加させる（インクリメントする）（ステップＳ２１０）。そして、制御部１１５は、プリアンブル送信失敗時の周波数をプリアンブル送信周波数記録部１１２へ記録する（ステップＳ２１１）。続いて、制御部１１５は、予め報知情報により報知された最大再送回数を超えたか否かの判定を行い（ステップ２１２）、超えている場合はランダムアクセス処理を終了し、超えていない場合にはステップＳ２０３へ戻り、再びプリアンブル送信を行う処理を、最大再送回数になるまで、または、プリアンブル送信が成功するまで繰り返す。
【００２３】
次に、図３〜図５を参照して、基地局装置１２０１のランダムアクセス報知情報生成部１２３におけるランダムアクセス時の動作について説明する。図１に示す基地局装置１２０１、１２０２、１２０３は、それぞれ同様の動作であるため、図１に示す基地局装置１２０１の動作のみを説明する。図３は、図１に示すランダムアクセス決定用情報受信処理部１２５が受信した情報のうちプリアンブル再送回数とプリアンブル送信電力に基づいて、ランダムアクセス報知情報生成部１２３が、移動局装置１１０１や移動局装置１１０２に対して報知するべき設定情報を決定する動作を示す図である。
【００２４】
まず、ランダムアクセス報知情報生成部１２３は、全ての移動局装置、または予め決められた台数の移動局装置から送信された再送回数と送信電力をランダムアクセス決定用情報受信処理部１２５から取得し、取得した再送回数と送信電力を集計する。そして、集計結果から再送回数が多いと判定され、再送回数を減少させるべきである場合には初期送信電力増加、ランピングステップ増加、最大再送回数減少のいずれかの設定情報を報知情報内に設定する。また、送信電力が大きいと判定され、送信電力を減少させるべきである場合には初期送信電力減少、ランピングステップ減少、最大再送回数増加のいずれかの設定情報を報知情報内に設定する。
【００２５】
また、再送回数が多く、かつ送信電力も大きいと判定され、再送回数と送信電力を共に減少させるべきである場合はランダムアクセスに割り当てるリソースブロックを増加させることにより移動局装置同士の衝突および干渉の可能性を低下させる設定情報を報知情報内に設定する。ランダムアクセス報知情報生成部１２３内には、図３に示すマップデータが予め記憶されており、このマップデータを参照することにより、再送回数と送信電力に基づいて、報知情報内に設定するべき情報（初期送信電力の増減、ランピングステップの増減、最大再送回数の増減および割り当てリソースブロックの増加等）を特定する。このように、移動局装置の送信結果の情報を解析することで所望する再送回数または送信電力に応じて適切に報知情報内に含まれる設定情報を決定することが可能となる。
【００２６】
図４は、図１に示すランダムアクセス決定用情報受信処理部１２５が受信した情報のうちプリアンブル再送回数と下りＳＩＲに基づいて、ランダムアクセス報知情報生成部１２３が、移動局装置１１０１や移動局装置１１０２に対して報知するべき情報を決定する動作を示す図である。ランダムアクセス報知情報生成部１２３は、全ての移動局装置、または予め決められた台数の移動局装置から送信されたプリアンブル再送回数と下りＳＩＲをランダムアクセス決定用情報受信処理部１２５から取得し、取得したプリアンブル再送回数と下りＳＩＲの逆数を集計する。そして、集計結果からプリアンブル再送回数が少なくかつ下りＳＩＲの逆数が大きい傾向が認められる場合、移動局装置の送信電力が高く干渉が大きい可能性が高いと見なして、干渉を低減するために、初期送信電力減少、ランピングステップ減少のいずれかの設定情報を報知情報内に設定する。
【００２７】
また、プリアンブル再送回数が多く下りＳＩＲの逆数が小さい傾向が認められる場合、不要な再送が発生している可能性が高いと見なして、再送回数を減少させるために、初期送信電力増加、ランピングステップ増加のいずれかを報知情報内に設定する。ランダムアクセス報知情報生成部１２３内には、図４に示すマップデータが予め記憶されており、このマップデータを参照することにより、再送回数と下りＳＩＲの逆数に基づいて、報知情報内に設定するべき情報（初期送信電力の増減、ランピングステップの増減等）を特定する。このように、移動局装置の送信結果の情報を解析することで所望する干渉またはプリアンブル再送回数に応じて適切に報知情報内に含まれる設定情報を決定することが可能となる。
【００２８】
図５は、ランダムアクセス決定用情報受信処理部１２５が受信した情報のうち、プリアンブル送信周波数に基づいてランダムアクセス報知情報生成部１２３が、移動局装置１１０１や移動局装置１１０２に対して報知するべき情報を決定する動作を示す図である。プリアンブル送信周波数に関する情報としては、移動局装置１１０１で測定された送信失敗時の送信周波数（ｆ１）と基地局装置１２０１で測定された送信成功時の送信周波数（ｆ２）があり、加えて送信成功時の場合にはその際の送信電力の履歴情報も利用可能である。ランダムアクセス報知情報生成部１２３は、送信周波数ｆ１と送信周波数ｆ２の測定結果に基づいて、場合分けをして、ホッピング（極めて短い時間ごとに信号を送信する周波数を変更すること）設定とリソースブロックの配置を決定する。
【００２９】
送信周波数ｆ１と送信周波数ｆ２において送信電力に差がない場合、ランダムアクセス報知情報生成部１２３は、ホッピング設定を「する」に設定し、リソースブロックを「変更なし」に決定する。また、送信周波数ｆ１と送信周波数ｆ２において送信電力に差がある場合、ランダムアクセス報知情報生成部１２３は、ホッピング設定を「しない」に設定し、リソースブロックを「良好である送信周波数を使用する」に決定する。
【００３０】
送信周波数ｆ１と送信周波数ｆ２において送信失敗回数に差がない場合、ランダムアクセス報知情報生成部１２３は、ホッピング設定を「する」に設定し、リソースブロックを「変更なし」に決定する。また、送信周波数ｆ１と送信周波数ｆ２において送信失敗回数に差がある場合、ランダムアクセス報知情報生成部１２３は、ホッピング設定を「しない」に設定し、リソースブロックを「良好である送信周波数を使用する」に決定する。
【００３１】
送信周波数ｆ１と送信周波数ｆ２において送信成功回数に差がない場合、ランダムアクセス報知情報生成部１２３は、ホッピング設定を「する」に設定し、リソースブロックを「変更なし」に決定する。また、送信周波数ｆ１と送信周波数ｆ２において送信成功回数に差がある場合、ランダムアクセス報知情報生成部１２３は、ホッピング設定を「しない」に設定し、リソースブロックを「良好である送信周波数を使用する」に決定する。
【００３２】
すなわち、送信電力に差がない場合、送信失敗回数に差がない場合、送信成功回数に差がない場合は、ホッピングゲインは得られると判断してホッピング設定を「する」とし、リソースブロックの配置は「変更なし」と決定する。一方、送信電力に差がある場合、送信失敗回数に差がある場合、送信成功回数に差がある場合には、ホッピング設定は「しない」とし、リソースブロックの配置は「良好である周波数を利用する」と決定する。ランダムアクセス報知情報生成部１２３内には、図５に示すテーブルデータが予め記憶されており、このテーブルデータを参照することにより、送信電力、送信失敗回数および送信成功回数のいずれかに基づいて、報知情報内に設定するべき設定情報（ホッピング設定、リソースブロックの設定等）を特定する。
【００３３】
ランダムアクセス報知情報生成手段１２３は、図３、図４に示すマップデータおよび図５に示すテーブルデータを参照して、設定情報を特定し、この設定情報を含む報知情報を生成して、ランダムアクセス報知情報送信部１２１を介して移動局装置１１０１、移動局装置１１０２に対して報知する。移動局装置１１０１、１１０２は、この報知情報を受信し（図２に示すステップＳ２０１）、受信した報知情報に基づき基地局装置１２０１に対するランダムアクセスを行う。
【００３４】
以上説明したように、基地局装置１２０１において、移動局装置１１０１がランダムアクセスするために必要な情報を、基地局装置１２０１から移動局装置１１０１、１１０２に対する報知情報内に設定する際に、基地局装置１２０１配下の移動局装置においてのみ測定し得る情報を収集して、この収集した情報に基づいて、ランダムアクセスするために必要な設定情報を特定し、この特定した設定情報を含む報知情報を生成し、この報知情報を基地局装置１２０１配下の移動局装置１１０１、１１０２に対して報知するようにした。これにより、ランダムアクセスするために必要な設定情報が最適化された報知情報を移動局装置１１０１、１１０２に対して報知することができる。特に、基地局装置１２０１配下の移動局装置がランダムアクセスに成功するまでに測定した結果をランダムアクセス成功後に移動局装置から基地局装置１２０１に対して送信するようにして、基地局装置１２０１は、この情報に基づいてランダムアクセスするために必要な設定情報が最適化されるように設定情報を特定するようにしたため、ランダムアクセス方式の移動通信システムにおいて、上り初期電力制御動作および上り初期送信周波数制御動作が最適化されることになり、ランダムアクセス成功率の向上および無線リソースの有効活用を図ることができる。
【００３５】
なお、図１における制御部１１５および制御部１２４の機能を実現するためのプログラムをコンピュータ読み取り可能な記録媒体に記録して、この記録媒体に記録されたプログラムをコンピュータシステムに読み込ませ、実行することにより、ランダムアクセスの通信方式において移動局装置がランダムアクセスを行うために必要な情報の設定を最適化する処理を行ってもよい。なお、ここでいう「コンピュータシステム」とは、制御部１１５や制御部１２４に内蔵されたもの（図示せず）であって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００３６】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【図面の簡単な説明】
【００３７】
【図１】本発明の一実施形態の構成を示すブロック図である。
【図２】図１に示す移動局装置１１０１の動作を示すフローチャートである。
【図３】図１に示す基地局装置１２０１の動作を示す説明図である。
【図４】図１に示す基地局装置１２０１の動作を示す説明図である。
【図５】図１に示す基地局装置１２０１の動作を示す説明図である。
【符号の説明】
【００３８】
１１０１、１１０２・・・移動局装置、１１１・・・プリアンブル再送回数カウンタ、１１２・・・プリアンブル送信電力記録部、１１３・・・プリアンブル送信周波数記録部、１１４・・・送信部、１１５・・・制御部、１１６・・・下りＳＩＲ算出部、１１７・・・受信部、１１８・・・アンテナ、１２０１、１２０２、１２０３・・・基地局装置、１２１・・・ランダムアクセス報知情報送信部、１２２・・・送信部、１２３・・・ランダムアクセス報知情報生成部、１２４・・・制御部、１２５・・・ランダムアクセス決定用情報受信処理部、１２６・・・ランダムアクセス受信周波数記録部、１２７・・・受信部、１２８・・・アンテナ、Ｎ・・・ネットワーク
【図１】
0005137246.tif 000002
【図２】
0005137246.tif 000003
【図３】
0005137246.tif 000004
【図４】
0005137246.tif 000005
【図５】
0005137246.tif 000006